(57)【要約】【課題】簡単な構成で、用紙をセットする際の、用紙の斜向や浮き上がりを防止することができるとともに、用紙の重層や汚れの発生を回避することができる給紙装置およびこれを備えた画像形成装置を提供することを目的とする。【解決手段】手差し給紙装置には、手差し給紙トレイに載置された用紙９のずれを防止するための用紙ずれ防止部材３５が設けられている。また、用紙ずれ防止部材３５には、用紙９と当接する毛３６が植毛されており、毛３６は、用紙９の搬送方向Ｇにおいて、用紙９に対して鋭角となるように設けられている。従って、用紙９をセットする際の、用紙９の斜向や浮き上がりが防止される。また、用紙９の重層や汚れの発生が回避される。【選択図】  図５
2006168977.tif 000002
【特許請求の範囲】
【請求項１】
用紙が載置される手差し給紙トレイと、前記用紙の幅方向を規制するための規制部材と、前記用紙を搬送するための給紙コロと、を備える給紙装置において、
前記手差し給紙トレイに載置された前記用紙のずれを防止するための用紙ずれ防止部材を更に備えるとともに、前記用紙ずれ防止部材には、前記手差し給紙トレイに載置された前記用紙と当接する毛が植毛されており、前記毛は、前記用紙の搬送方向において、前記用紙に対して鋭角となるように設けられていることを特徴とする給紙装置。
【請求項２】
前記用紙ずれ防止部材は、給紙装置本体に対して、回動可能に設けられていることを特徴とする請求項１に記載の給紙装置。
【請求項３】
前記用紙ずれ防止部材は、前記用紙の幅方向における、前記手差し給紙トレイの略中央部に設けられていることを特徴とする請求項１または請求項２に記載の給紙装置。
【請求項４】
前記用紙ずれ防止部材は、前記規制部材に設けられていることを特徴とする請求項１または請求項２に記載の給紙装置。
【請求項５】
請求項１乃至請求項４のいずれかに記載の給紙装置を備えることを特徴とする画像形成装置。
【請求項６】
用紙が収納される給紙カセットと、前記用紙の幅方向を規制するための規制部材と、前記用紙を搬送するための給紙コロと、を備える給紙装置において、
前記給紙カセットに収納された前記用紙のずれを防止するための用紙ずれ防止部材を更に備えるとともに、前記用紙ずれ防止部材には、前記給紙カセットに収納された前記用紙と当接する毛が植毛されており、前記毛は、前記用紙の搬送方向において、前記用紙に対して鋭角となるように設けられていることを特徴とする給紙装置。
【請求項７】
前記用紙ずれ防止部材は、給紙カセット本体に対して、回動可能に設けられていることを特徴とする請求項６に記載の給紙装置。
【請求項８】
前記用紙ずれ防止部材は、前記用紙の幅方向における、前記給紙カセットの略中央部に設けられていることを特徴とする請求項６または請求項７に記載の給紙装置。
【請求項９】
前記用紙ずれ防止部材は、前記規制部材に設けられていることを特徴とする請求項６または請求項７に記載の給紙装置。
【請求項１０】
請求項６乃至請求項９のいずれかに記載の給紙装置を備えることを特徴とする画像形成装置。
【発明の詳細な説明】
【技術分野】
【０００１】
本発明は、用紙を供給するための給紙装置およびこれを備えた画像形成装置に関する。
【背景技術】
【０００２】
一般に、複写機、プリンタ装置、ファクシミリ装置等の画像形成装置においては、画像が転写される用紙を供給するための給紙装置が備えられている。この給紙装置には、多数枚の用紙が収納された給紙カセットから用紙を供給するカセット給紙部と、比較的少ない枚数の用紙を供給するための手差し給紙部とが併設されたものがある。また、この様なカセット給紙部および手差し給紙部を有する給紙装置においては、カセット給紙部および手差し給紙部の各々に、専用の給紙コロが備えられている。そして、当該給紙コロの回転動作により、用紙を画像形成装置本体内へと送り出す構成となっている。
【０００３】
また、一般に、給紙カセット、または手差し給紙トレイには、用紙のサイズに対応して当該用紙の幅方向の位置を規制するための規制部材が設けられている。そして、当該規制部材を用紙の幅方向にスライドさせることにより、用紙の幅方向の位置を規制する構成となっている。
【０００４】
ここで、給紙カセットに収納され、または手差し給紙トレイに載置された用紙の位置を規制部材により規制する際に、当該用紙が斜向（スキュー）してズレたり、浮き上がったりする場合がある。そして、このような状態で、上述の給紙コロにより用紙を搬送すると、当該用紙の斜め給紙に起因するジャム（紙詰まり）や、無給紙（ミスフィード）が発生するという不都合が生じていた。
【０００５】
そこで、当該不都合を回避するための給紙装置が提案されている。より具体的には、当該給紙装置は、手差し給紙トレイにセットされた用紙を搬送するための給紙コロと、用紙の幅方向の位置を規制するための規制部材と、手差し給紙トレイに載置された用紙の、給紙方向に対して垂直な方向の端部上面を押さえる押さえ部材を備えている。従って、用紙位置が規制部材により規制される際に、当該用紙が浮き上がろうとしても、押さえ部材により用紙端部上面が押さえられるため、当該用紙の浮き上がりを小さくし、斜向（スキュー）によるズレを抑制する構成となっている（例えば、特許文献１参照）。
【特許文献１】特開２００３−３１２８７２号公報
【発明の開示】
【発明が解決しようとする課題】
【０００６】
しかし、上記従来の給紙装置においては、押さえ部材により用紙を押さえる際に、ある程度の荷重が必要になり、特に、手差し給紙トレイにセットされた用紙の枚数が少ない場合は、当該用紙を押さえつけるために大きな荷重が必要となる。従って、当該荷重が、給紙コロにより用紙を搬送する際の負荷として作用し、給紙時の搬送負担が大きくなるため、用紙の重送が発生したり、給紙コロと用紙間の強い摩擦力により、当該用紙に汚れが発生するという問題があった。また、ユーザーが、手差し給紙トレイに用紙をセットする際に、押さえ部材と用紙の負荷抵抗が大きくなるため、ユーザーが手差し給紙トレイ上に用紙をセットし難くなり、操作性が低下するという問題があった。
【０００７】
そこで、本発明は、上述の問題に鑑みてなされたものであり、簡単な構成で、用紙をセットする際の、用紙の斜向や浮き上がりを防止することができるとともに、用紙の重層や汚れの発生を回避することができる給紙装置およびこれを備えた画像形成装置を提供することを目的とする。
【課題を解決するための手段】
【０００８】
上記目的を達成するために、請求項１に記載の給紙装置は、用紙が載置される手差し給紙トレイと、用紙の幅方向を規制するための規制部材と、用紙を搬送するための給紙コロと、を備え、手差し給紙トレイに載置された用紙のずれを防止するための用紙ずれ防止部材を更に備えるとともに、用紙ずれ防止部材には、手差し給紙トレイに載置された用紙と当接する毛が植毛されており、毛は、用紙の搬送方向において、用紙に対して鋭角となるように設けられていることを特徴とする。
【０００９】
請求項１に記載の給紙装置によれば、手差し給紙トレイに用紙をセットする際の、用紙に対する負荷抵抗を小さくすることが可能になる。従って、手差し給紙トレイに用紙をセットし易くなり、結果として、用紙をセットする際の操作性が向上することになる。また、用紙の搬送方向と逆方向において、セットされた用紙に対する負荷抵抗を大きくすることが可能になる。従って、用紙の搬送方向と逆方向における用紙のずれを防止することが可能になるため、結果として、規制部材により、用紙の幅方向を規制する際の、用紙の斜向や浮き上がりを防止することが可能になる。
【００１０】
また、請求項２に記載の給紙装置は、請求項１に記載の給紙装置であって、用紙ずれ防止部材が、給紙装置本体に対して、回動可能に設けられていることを特徴とする。
請求項２に記載の給紙装置によれば、用紙を押さえる際に、用紙に大きな荷重を作用させることなく、用紙を搬送することが可能になる。その結果、給紙時の搬送負担が小さくなるため、用紙の重送や、給紙コロによる用紙の汚れの発生を効果的に防止することが可能になる。
【００１１】
また、請求項３に記載の給紙装置は、請求項１または請求項２に記載の給紙装置であって、用紙ずれ防止部材が、用紙の幅方向における、手差し給紙トレイの略中央部に設けられていることを特徴とする。
【００１２】
請求項３に記載の給紙装置によれば、簡単な構成で、用紙をセットする際の操作性が向上することになるとともに、規制部材により、用紙の幅方向を規制する際の、用紙の斜向や浮き上がりを防止することが可能になる。また、用紙の重送や、給紙コロによる用紙の汚れの発生を効果的に防止することが可能になる。
【００１３】
また、請求項４に記載の給紙装置は、請求項１または請求項２に記載の給紙装置であって、用紙ずれ防止部材が、規制部材に設けられていることを特徴とする。
請求項４に記載の給紙装置によれば、簡単な構成で、用紙をセットする際の操作性が向上することになるとともに、規制部材により、用紙の幅方向を規制する際の、用紙の斜向や浮き上がりを防止することが可能になる。また、用紙の重送や、給紙コロによる用紙の汚れの発生を効果的に防止することが可能になる。
【００１４】
また、請求項５に記載の画像形成装置は、請求項１乃至請求項４のいずれかに記載の給紙装置を備えることを特徴とする。
請求項５に記載の画像形成装置によれば、請求項１乃至請求項４のいずれかに記載の給紙装置を備える構成としているため、請求項１乃至請求項４のいずれかに記載の給紙装置と同じ効果を得ることが可能になる。
【００１５】
また、請求項６に記載の給紙装置は、用紙が収納される給紙カセットと、用紙の幅方向を規制するための規制部材と、用紙を搬送するための給紙コロと、を備え、給紙カセットに収納された用紙のずれを防止するための用紙ずれ防止部材を更に備えるとともに、用紙ずれ防止部材には、給紙カセットに収納された用紙と当接する毛が植毛されており、毛は、用紙の搬送方向において、用紙に対して鋭角となるように設けられていることを特徴とする。
【００１６】
請求項６に記載の給紙装置によれば、給紙カセットに用紙をセットする際の、用紙に対する負荷抵抗を小さくすることが可能になる。従って、給紙カセットに用紙をセットし易くなり、結果として、用紙をセットする際の操作性が向上することになる。また、用紙の搬送方向と逆方向において、セットされた用紙に対する負荷抵抗を大きくすることが可能になる。従って、用紙の搬送方向と逆方向における用紙のずれを防止することが可能になるため、結果として、規制部材により、用紙の幅方向を規制する際の、用紙の斜向や浮き上がりを防止することが可能になる。
【００１７】
また、請求項７に記載の給紙装置は、請求項６に記載の給紙装置であって、用紙ずれ防止部材が、給紙カセット本体に対して、回動可能に設けられていることを特徴とする。
請求項７に記載の給紙装置によれば、用紙を押さえる際に、用紙に大きな荷重を作用させることなく、用紙を搬送することが可能になる。その結果、給紙時の搬送負担が小さくなるため、用紙の重送や、給紙コロによる用紙の汚れの発生を効果的に防止することが可能になる。
【００１８】
また、請求項８に記載の給紙装置は、請求項６または請求項７に記載の給紙装置であって、用紙ずれ防止部材が、用紙の幅方向における、給紙カセットの略中央部に設けられていることを特徴とする。
【００１９】
請求項８に記載の給紙装置によれば、簡単な構成で、用紙をセットする際の操作性が向上することになるとともに、規制部材により、用紙の幅方向を規制する際の、用紙の斜向や浮き上がりを防止することが可能になる。また、用紙の重送や、給紙コロによる用紙の汚れの発生を効果的に防止することが可能になる。
【００２０】
また、請求項９に記載の給紙装置は、請求項６または請求項７に記載の給紙装置であって、用紙ずれ防止部材が、規制部材に設けられていることを特徴とする。
請求項９に記載の給紙装置によれば、簡単な構成で、用紙をセットする際の操作性が向上することになるとともに、規制部材により、用紙の幅方向を規制する際の、用紙の斜向や浮き上がりを防止することが可能になる。また、用紙の重送や、給紙コロによる用紙の汚れの発生を効果的に防止することが可能になる。
【００２１】
また、請求項１０に記載の画像形成装置は、請求項６乃至請求項９のいずれかに記載の給紙装置を備えることを特徴とする。
請求項１０に記載の画像形成装置によれば、請求項６乃至請求項９のいずれかに記載の給紙装置を備える構成としているため、請求項６乃至請求項９のいずれかに記載の給紙装置と同じ効果を得ることが可能になる。
【発明の効果】
【００２２】
本発明によれば、用紙をセットする際の操作性が向上することになる。また、用紙の幅方向を規制する際の、用紙の斜向や浮き上がりを防止することが可能になる。また、用紙の重送や、給紙コロによる用紙の汚れの発生を効果的に防止することが可能になる。
【発明を実施するための最良の形態】
【００２３】
（第１の実施形態）
以下に、本発明の具体的な実施形態について図面を参照しながら説明する。図１は、本発明の第１の実施形態に係る画像形成装置の全体構成を示す概略図である。
【００２４】
図１に示す様に、この画像形成装置１は、複写機であり、装置本体１ａの下部に配設された給紙装置として機能する給紙部２と、この給紙部２の側方及び上方に配設された用紙搬送部３と、この用紙搬送部３の上方に配設された画像形成部４と、この画像形成部４よりも排出側に配設された定着部５と、これらの画像形成部４、及び定着部５の上方に配設された画像読取部６を備えている。
【００２５】
図２は、本発明の第１の実施形態に係る画像形成装置における給紙カセットの概略構成を示す斜視図である。給紙部２は、用紙９が収納された複数（本実施形態においては２つ）の給紙カセット７と、給紙カセット７に収納された用紙９を搬送するための給紙コロ３０を備えている。また、図２に示す様に、給紙カセット７には、用紙積載部２５が設けられており、給紙カセット７の底部２６には、用紙積載部２５を上方に付勢するためのバネ（不図示）が設けられている。そして、給紙カセット７内に収納され、用紙積載部２５上に載置された用紙９が給紙コロ３０に押し付けられる構成となっている。また、給紙コロ３０には、コイルスプリング等の弾性部材（不図示）により分離パッド（不図示）が圧接されている。そして、給紙コロ３０の回転動作により、複数の給紙カセット７のうち選択された給紙カセット７から用紙９が送り出される際に、当該分離パッドにより、用紙９が１枚ずつ分離され、用紙搬送部３に給紙されるように構成されている。尚、図２に示す様に、給紙カセット７は、装置本体１ａに対して、矢印Ａ、Ｂの方向に開閉自在（又は、着脱自在）となるように設けられている。
【００２６】
また、給紙カセット７には、収納される用紙９のサイズに対応して当該用紙９の位置を規制するための位置規制機構が設けられており、図２に示す様に、用紙９の幅方向Ｘを規制するための一対の規制部材２７と、用紙９の長さ方向Ｙを規制するための規制部材２８とを備えている。また、給紙カセット７の底部２６には溝２９が形成されており、規制部材２７は溝２９に沿って底部２６上を用紙９の幅方向Ｘにスライド可能となるように構成されている。そして、用紙９に対応して、一対の規制部材２７は、その幅を広げる、あるいは狭める方向に連動して動くことにより、用紙９の幅方向Ｘにおける位置を規制する構成となっている。また、給紙カセット７の底部２６には溝３１が形成されており、規制部材２８は溝３１に沿って用紙９の長さ方向Ｙにスライド可能となるように構成され、用紙９の長さ方向Ｙにおける位置を規制している。
【００２７】
図３は、本発明の第１の実施形態に係る画像形成装置における手差し給紙装置の概略構成を示す斜視図である。本実施形態の画像形成装置１においては、手差し給紙装置として機能する手差し給紙部２２が設けられている。そして、当該手差し給紙部２２は、手差し給紙トレイ２３と、手差し給紙トレイ２３に載置された用紙９を搬送するための給紙コロ２４を備えている。また、上述の給紙部２の場合と同様に、給紙コロ２４には、コイルスプリング等の弾性部材（不図示）により分離パッド（不図示）が圧接されている。そして、給紙コロ２４の回転動作により、手差し給紙トレイ２３上に載置され、給紙コロ２４に押し付けられた用紙９が送り出される際に、当該分離パッドにより、用紙９が１枚ずつ分離され、用紙搬送部３に給紙されるように構成されている。尚、図３に示す様に、手差し給紙トレイ２３は、装置本体１ａに対して、矢印Ｃ、Ｄの方向に開閉自在となるように設けられている。
【００２８】
また、手差し給紙トレイ２３には、上述の給紙カセット７と同様に、載置される用紙９のサイズに対応して当該用紙９の位置を規制するための位置規制機構が設けられており、図３に示す様に、用紙９の幅方向Ｘを規制するための一対の規制部材３２を備えている。また、手差し給紙トレイ２３の底部３３には溝３４が形成されており、規制部材３２は溝３４に沿って底部３３上を用紙の幅方向Ｘにスライド可能となるように構成されている。そして、用紙９に対応して、一対の規制部材３２は、その幅を広げる、あるいは狭める方向に連動して動くことにより、用紙９の幅方向Ｘにおける位置を規制する構成となっている。
【００２９】
用紙搬送部３に給紙された用紙９は、用紙供給搬送路１０を経由して画像形成部４に向けて搬送される。この画像形成部４は、電子写真プロセスによって、用紙９に所定のトナー像を形成するものであり、所定の方向（図中の矢印方向）に回転可能に軸支された像端持体である感光体１１と、この感光体１１の周囲にその回転方向に沿って、帯電装置１２、露光装置１３、現像装置１４、転写装置１５、クリーニング装置１６、及び除電装置１７を備えている。
【００３０】
帯電装置１２は、高電圧が印加される帯電ワイヤを備えており、この帯電ワイヤからのコロナ放電によって感光体１１の表面に所定電位を与えることにより、感光体１１の表面が一様に帯電させられる。そして、露光装置１３により、画像読取部６によって読み取られた原稿の画像データに基づく光が、感光体１１に照射されることにより、感光体１１の表面電位が選択的に減衰されて、この感光体１１の表面に静電潜像が形成される。次いで、現像装置１４により、上記静電潜像にトナーが付着し、感光体１１の表面にトナー像が形成され、転写装置１５により、感光体１１の表面のトナー像が、感光体１１と転写装置１５との間に供給された用紙９に転写される。
【００３１】
トナー像が転写された用紙９は、画像形成部４から定着部５に向けて搬送される。この定着部５は、画像形成部４の用紙搬送方向の下流側に配置されており、画像形成部４においてトナー像が転写された用紙９は、定着部５に設けられた加熱ローラ１８、及び当該加熱ローラ１８に押し付けられる加圧ローラ１９によって挟まれるとともに加熱され、用紙９上にトナー像が定着される。次いで、画像形成部４から定着部５において画像形成がなされた用紙９は、排出ローラ対２０によって排出トレイ２１上に排出される。一方、上記転写後、感光体１１の表面に残留しているトナーは、クリーニング装置１６により除去され、感光体１１の表面の残留電荷は、除電装置１７により除去される。そして、感光体１１は帯電装置１２によって再び帯電され、以下同様にして画像形成が行われることになる。
【００３２】
ここで、本実施形態においては、手差し給紙部２２に、手差し給紙トレイに載置された用紙９のずれを防止するための用紙ずれ防止部材を設けている点に特徴がある。以下に、図面を参照して詳細に説明する。図４は、本発明の第１の実施形態に係る手差し給紙装置における用紙ずれ防止部材を示す斜視図であり、図５は、本発明の第１の実施形態に係る手差し給紙装置における用紙ずれ防止部材と用紙の関係を説明するための側面図である。
【００３３】
図３に示す様に、本実施形態における手差し給紙部２２においては、用紙９の幅方向Ｘにおける、手差し給紙トレイ２３の略中央部に、用紙ずれ防止部材３５が設けられている。この用紙ずれ防止部材３５は、図４に示す様に、本体部３５ａと、手差し給紙装置本体２２ａに係止される係止部３５ｂとを備えている。また、本体部３５ａには、折曲部３５ｃが設けられており、図３に示す様に、用紙ずれ防止部材３５は、手差し給紙トレイ２３の底部３３から上方に向かって折曲された状態で設けられている。
【００３４】
また、図４に示す様に、本体部３５ａの折曲部３５ｃには、例えば、アクリル繊維により形成された毛３６が植毛されており、手差し給紙トレイ２３に用紙９が載置される際に、当該用紙９と毛３６が当接するように構成されている。また、用紙ずれ防止部材３５は、係止部３５ｂを介して、手差し給紙装置本体２２ａに対して、図中の矢印Ｅ、Ｆの方向に回動可能に設けられている。
【００３５】
次に、用紙ずれ防止部材３５による作用効果について説明する。上述のごとく、手差し給紙トレイ２３に用紙９を載置すると、用紙ずれ防止部材３５に設けられた毛３６が当該用紙９と当接し、用紙９がセットされるが、図５に示す様に、毛３６は、用紙９の搬送方向Ｇにおいて、手差し給紙トレイ２３に載置された用紙９に対して鋭角となるように植毛されている。従って、手差し給紙トレイ２３に用紙９を載置する際に、毛３６の流れに沿って、当該用紙９をセットすることが可能になる。従って、ユーザーが、手差し給紙トレイ２３に用紙９をセットする際の、用紙９に対する負荷抵抗を小さくすることが可能になるため、ユーザーが手差し給紙トレイ２３に用紙９をセットし易くなり、結果として、用紙９をセットする際の操作性が向上することになる。
【００３６】
また、毛３６は、用紙９の搬送方向Ｇにおいて、手差し給紙トレイ２３に載置された用紙９に対して鋭角となるように（即ち、用紙９の搬送方向Ｇと逆方向において、手差し給紙トレイ２３に載置された用紙９に対して鈍角となるように）植毛されているため、用紙９の搬送方向Ｇと逆方向において、セットされた用紙９に対する負荷抵抗を大きくすることが可能になる。従って、用紙９の搬送方向Ｇと逆方向における用紙９のずれを防止することが可能になるため、結果として、規制部材３２により、用紙９の幅方向Ｘを規制する際の、用紙９の斜向や浮き上がりを防止することが可能になる。
【００３７】
また、本実施形態においては、上述のごとく、用紙ずれ防止部材３５を、手差し給紙装置本体２２ａに対して、回動可能に設ける構成としている。従って、用紙ずれ防止部材３５により用紙９を押さえる際の荷重が小さくなるため、用紙９を押さえる際に、当該用紙９に大きな荷重を作用させることなく、用紙９の斜向や浮き上がりを防止した状態で、用紙９を搬送することが可能になる。その結果、給紙時の搬送負担が小さくなるため、用紙９の重送や、給紙コロ２４による用紙９の汚れの発生を効果的に防止することが可能になる。
【００３８】
以上に説明したように、本実施形態においては、手差し給紙トレイ２３に載置された用紙９のずれを防止するための用紙ずれ防止部材３５を更に備える構成としている。そして、当該用紙ずれ防止部材３５に、手差し給紙トレイ２３に載置された用紙９と当接する毛３６を植毛するとともに、当該毛３６は、用紙９の搬送方向Ｇにおいて、当該用紙９に対して鋭角となる構成としている。従って、手差し給紙トレイ２３に用紙９をセットする際の、用紙９に対する負荷抵抗を小さくすることが可能になるため、手差し給紙トレイ２３に用紙９をセットし易くなり、結果として、用紙９をセットする際の操作性が向上することになる。また、用紙９の搬送方向Ｇと逆方向において、セットされた用紙９に対する負荷抵抗を大きくすることが可能になる。従って、用紙９の搬送方向Ｇと逆方向における用紙９のずれを防止することが可能になるため、結果として、規制部材３２により、用紙９の幅方向Ｘを規制する際の、用紙９の斜向や浮き上がりを防止することが可能になる。
【００３９】
また、用紙ずれ防止部材３５を、手差し給紙装置本体２２ａに対して、回動可能に設ける構成としている。従って、用紙９を押さえる際に、当該用紙９に大きな荷重を作用させることなく、用紙９を搬送することが可能になる。その結果、給紙時の搬送負担が小さくなるため、用紙９の重送や、給紙コロ２４による用紙９の汚れの発生を効果的に防止することが可能になる。
【００４０】
さらに、用紙ずれ防止部材３５を、用紙９の幅方向Ｘにおける、手差し給紙トレイ２３の略中央部に設ける構成としている。従って、簡単な構成で、用紙９をセットする際の操作性が向上することになるとともに、規制部材３２により、用紙９の幅方向Ｘを規制する際の、用紙９の斜向や浮き上がりを防止することが可能になる。また、用紙９の重送や、給紙コロ２４による用紙９の汚れの発生を効果的に防止することが可能になる。
【００４１】
（第２の実施形態）
次に、本発明の第２の実施形態について説明する。図６は、本発明の第２の実施形態に係る画像形成装置における手差し給紙装置の概略構成を示す斜視図であり、図７は、本発明の第２の実施形態に係る手差し給紙装置における用紙ずれ防止部材を示す斜視図である。また、図８は、本発明の第２の実施形態に係る手差し給紙装置における用紙ずれ防止部材と用紙の関係を説明するための側面図である。尚、本実施形態においては、上記第１の実施形態と同様の構成部分については同一の符号を付してその説明を省略する。又、画像形成装置の全体構成についても、上述の第１の実施形態と同様であるため、ここでは詳しい説明を省略する。
【００４２】
本実施形態においては、図６に示す様に、用紙９の幅方向Ｘを規制する規制部材３２に用紙ずれ防止部材３７が設けられている点に特徴がある。この用紙ずれ防止部材３７は、図７に示す様に、本体部３７ａと、規制部材３２に係止される係止部３７ｂとを備えている。また、本体部３７ａには、折曲部３７ｃが設けられており、図６に示す様に、用紙ずれ防止部材３７は、手差し給紙トレイ２３の底部３３から上方に向かって折曲された状態で設けられている。
【００４３】
また、図７に示す様に、本体部３７ａの折曲部３７ｃには、上述の用紙ずれ防止部材３５と同様に、例えば、アクリル繊維により形成された毛３８が植毛されており、手差し給紙トレイ２３に用紙９が載置される際に、当該用紙９と毛３８が当接するように構成されている。また、用紙ずれ防止部材３７の係止部３５ｂには、孔部３７ｄが形成されており、規制部材３２に設けられた突起部３９を当該孔部３７ｄに挿通することにより、手差し給紙装置本体２２ａに対して、図中の矢印Ｈ、Ｉの方向に回動可能に設けられている。
【００４４】
なお、図６においては、紙面奥側の規制部材３２に設けられた用紙ずれ防止部材３７のみが図示されているが、紙面手前側の規制部材３２にも、用紙ずれ防止部材３７が、上述の構成により、手差し給紙装置本体２２ａに対して回動可能に設けられている。
【００４５】
次に、用紙ずれ防止部材３７による作用効果について説明する。上述のごとく、手差し給紙トレイ２３に用紙９を載置すると、用紙ずれ防止部材３７に設けられた毛３８が当該用紙９と当接し、用紙９がセットされるが、図８に示す様に、毛３８は、上述の毛３６と同様に、用紙９の搬送方向Ｇにおいて、手差し給紙トレイ２３に載置された用紙９に対して鋭角となるように植毛されている。従って、手差し給紙トレイ２３に用紙９を載置する際に、毛３８の流れに沿って、当該用紙９をセットすることが可能になる。従って、ユーザーが、手差し給紙トレイ２３に用紙９をセットする際の、用紙９に対する負荷抵抗を小さくすることが可能になるため、ユーザーが手差し給紙トレイ２３に用紙９をセットし易くなり、結果として、用紙９をセットする際の操作性が向上することになる。
【００４６】
また、毛３８は、用紙９の搬送方向Ｇにおいて、手差し給紙トレイ２３に載置された用紙９に対して鋭角となるように（即ち、用紙９の搬送方向Ｇと逆方向において、手差し給紙トレイ２３に載置された用紙９に対して鈍角となるように）植毛されているため、用紙９の搬送方向Ｇと逆方向において、セットされた用紙９に対する負荷抵抗を大きくすることが可能になる。従って、用紙９の搬送方向Ｇと逆方向における用紙９のずれを防止することが可能になるため、結果として、規制部材３２により、用紙９の幅方向Ｘを規制する際の、用紙９の斜向や浮き上がりを防止することが可能になる。
【００４７】
また、本実施形態においては、上述のごとく、用紙ずれ防止部材３７を、規制部材３２に対して、回動可能に設ける構成としている。従って、用紙ずれ防止部材３７により用紙９を押さえる際の荷重が小さくなるため、用紙９を押さえる際に、当該用紙９に大きな荷重を作用させることなく、用紙９の斜向や浮き上がりを防止した状態で、用紙９を搬送することが可能になる。その結果、給紙時の搬送負担が小さくなるため、用紙９の重送や、給紙コロ２４による用紙９の汚れの発生を効果的に防止することが可能になる。
【００４８】
以上に説明したように、本実施形態においては、上述の第１の実施形態と同様に、手差し給紙トレイ２３に載置された用紙９のずれを防止するための用紙ずれ防止部材３７を更に備える構成としている。そして、当該用紙ずれ防止部材３７に、手差し給紙トレイ２３に載置された用紙９と当接する毛３８を植毛するとともに、当該毛３８は、用紙９の搬送方向Ｇにおいて、当該用紙９に対して鋭角となる構成としている。従って、手差し給紙トレイ２３に用紙９をセットする際の、用紙９に対する負荷抵抗を小さくすることが可能になるため、手差し給紙トレイ２３に用紙９をセットし易くなり、結果として、用紙９をセットする際の操作性が向上することになる。また、用紙９の搬送方向Ｇと逆方向において、セットされた用紙９に対する負荷抵抗を大きくすることが可能になる。従って、用紙９の搬送方向Ｇと逆方向における用紙９のずれを防止することが可能になるため、結果として、規制部材３２により、用紙９の幅方向Ｘを規制する際の、用紙９の斜向や浮き上がりを防止することが可能になる。
【００４９】
また、上述の第１の実施形態と同様に、用紙ずれ防止部材３７を、手差し給紙装置本体２２ａに対して、回動可能に設ける構成としている。従って、用紙９を押さえる際に、当該用紙９に大きな荷重を作用させることなく、用紙９を搬送することが可能になる。その結果、給紙時の搬送負担が小さくなるため、用紙９の重送や、給紙コロ２４による用紙９の汚れの発生を効果的に防止することが可能になる。
【００５０】
さらに、用紙ずれ防止部材３７を、規制部材３２に設ける構成としている。従って、簡単な構成で、用紙９をセットする際の操作性が向上することになるとともに、規制部材３２により、用紙９の幅方向Ｘを規制する際の、用紙９の斜向や浮き上がりを防止することが可能になる。また、用紙９の重送や、給紙コロ２４による用紙９の汚れの発生を効果的に防止することが可能になる。
【００５１】
尚、上記実施形態は、単なる説明例であり、本発明の範囲は、上記実施形態に限定されるものではなく、本発明の趣旨に基づいて各構成物品の形状、寸法、材料等を変更することが可能であり、それらを本発明の範囲から除外するものではない。
【００５２】
例えば、上記実施形態においては、用紙ずれ防止部材３５、３７を、手差し給紙装置２２に設ける構成としたが、当該用紙ずれ防止部材３５、３７を、給紙部２に設ける構成としても良い。より具体的には、例えば、給紙装置２に設けられた給紙カセット７に収納された用紙９のずれを防止するための用紙ずれ防止部材として、上述の第１の実施形態において説明した用紙ずれ防止部材３５を使用する構成とすることができる。即ち、当該用紙ずれ防止部材３５を、給紙カセット本体７ａに対して、回動可能に設けるとともに、用紙９の幅方向Ｘにおける、給紙カセット７の略中央部に設ける構成とする。さらに、用紙ずれ防止部材３５に植毛された毛３６を、給紙カセット７に収納された用紙９と当接する様に配置するとともに、当該毛３６を、用紙９の搬送方向において、当該用紙９に対して鋭角となるように設ける構成とする。この様な構成とすることにより、給紙装置２において、上述の第１の実施形態と同様の作用効果を得ることが可能になる。
【００５３】
また、給紙装置２に設けられた給紙カセット７に収納された用紙９のずれを防止するための用紙ずれ防止部材として、上述の第２の実施形態において説明した用紙ずれ防止部材３７を使用する構成とすることができる。即ち、当該用紙ずれ防止部材３７を、給紙カセット本体７ａに対して、回動可能に設けるとともに、規制部材２７に設ける構成とする。さらに、用紙ずれ防止部材３７に植毛された毛３８を、給紙カセット７に収納された用紙９と当接する様に配置するとともに、当該毛３８を、用紙９の搬送方向において、当該用紙９に対して鋭角となるように設ける構成とする。この様な構成とすることにより、給紙装置２において、上述の第２の実施形態と同様の作用効果を得ることが可能になる。
【００５４】
また、上述の第２の実施形態においては、用紙ずれ防止部材３７を規制部材３２と別個に設ける構成としたが、図９に示す様に、規制部材３２に設けられた本体部４０と、当該本体部４０に植毛された毛４１により構成された用紙ずれ防止部材４２を規制部材３２に設ける構成としても良い。この様な用紙ずれ防止部材４２を設けることにより、上述の実施形態と同様に、用紙９をセットする際の操作性が向上するとともに、規制部材３２により、用紙９の幅方向を規制する際の、用紙９の斜向や浮き上がりを防止することが可能になる。また、部品点数が減るため、コストアップを抑制することが可能になる。
【００５５】
また、上述の第１の実施形態においては、１個の用紙ずれ防止部材３５を設ける構成としたが、当該用紙ずれ防止部材３５を複数個設ける構成としても良い。当該用紙ずれ防止部材３５を、給紙部２の給紙カセット７に設ける場合も、同様に、複数個設ける構成としても良いことは言うまでもない。
【００５６】
さらに、上記実施形態においては、画像形成装置の一例として、複写機を示したが、ファクシミリやプリンタ等の他の画像形成装置であっても良いことは言うまでもない。
【産業上の利用可能性】
【００５７】
本発明の活用例としては、用紙を供給するための給紙装置およびこれを備えた画像形成装置が挙げられる。
【図面の簡単な説明】
【００５８】
【図１】本発明の第１の実施形態に係る画像形成装置の全体構成を示す概略図である。
【図２】本発明の第１の実施形態に係る画像形成装置における給紙カセットの概略構成を示す斜視図である。
【図３】本発明の第１の実施形態に係る画像形成装置における手差し給紙装置の概略構成を示す斜視図である。
【図４】本発明の第１の実施形態に係る手差し給紙装置における用紙ずれ防止部材を示す斜視図である。
【図５】本発明の第１の実施形態に係る手差し給紙装置における用紙ずれ防止部材と用紙の関係を説明するための側面図である。
【図６】本発明の第２の実施形態に係る画像形成装置における手差し給紙装置の概略構成を示す斜視図である。
【図７】本発明の第２の実施形態に係る手差し給紙装置における用紙ずれ防止部材を示す斜視図である。
【図８】本発明の第２の実施形態に係る手差し給紙装置における用紙ずれ防止部材と用紙の関係を説明するための側面図である。
【図９】本発明の第２の実施形態に係る手差し給紙装置における用紙ずれ防止部材の変形例を示す斜視図である。
【符号の説明】
【００５９】
１…画像形成装置、１ａ…装置本体、２…給紙装置（給紙部）、７…給紙カセット、７ａ…給紙カセット本体、９…用紙、２２…手差し給紙装置（手差し給紙部）、２２ａ…手差し給紙装置本体、２３…手差し給紙トレイ、２４…給紙コロ、２５…用紙積載部、２７…規制部材、２８…規制部材、２９…溝、３０…給紙コロ、３１…溝、３２…規制部材、３４…溝、３５…用紙ずれ防止部材、３５ａ…本体部、３５ｂ…係止部、３５ｃ…折曲部、３６…毛、３７…用紙ずれ防止部材、３７ａ…本体部、３７ｂ…係止部、３７ｃ…折曲部、３７ｄ…孔部、３８…毛、３９…突起部、４０…本体部、４１…毛、４２…用紙ずれ防止部材、Ｇ…用紙搬送方向、Ｘ…用紙の幅方向、Ｙ…用紙の長さ方向
【図１】
2006168977.tif 000003
【図２】
2006168977.tif 000004
【図３】
2006168977.tif 000005
【図４】
2006168977.tif 000006
【図５】
2006168977.tif 000007
【図６】
2006168977.tif 000008
【図７】
2006168977.tif 000009
【図８】
2006168977.tif 000010
【図９】
2006168977.tif 000011